(57)【要約】【課題】紙幣収容部に紙幣を確実に収容可能にする紙幣処理装置を提供する。【解決手段】紙幣処理装置１は、紙幣を収容可能にする紙幣収容部１００と、紙幣収容部へ紙幣を搬送する紙幣搬送機構６とを有している。そして、紙幣収容部１００は、紙幣搬送機構６により搬送される紙幣を受け入れる受入口１０３と、受入口１０３から搬入される紙幣に対して接触可能であり、搬入方向に沿って駆動されるベルト１５０とを有することを特徴とする。【選択図】  図４
2010020732.tif 000002
【特許請求の範囲】
【請求項１】
紙幣を収容可能にする紙幣収容部と、紙幣収容部へ紙幣を搬送する紙幣搬送機構とを有し、
前記紙幣収容部は、前記紙幣搬送機構により搬送される紙幣を受け入れる受入口と、前記受入口から搬入される紙幣に対して接触可能であり、搬入方向に沿って駆動される搬送部材とを有することを特徴とする紙幣処理装置。
【請求項２】
前記搬送部材は、ベルトと、搬入方向の端部に位置し、前記ベルトを巻回するプーリとを有することを特徴とする請求項１に記載の紙幣処理装置。
【請求項３】
前記ベルトは、紙幣の両サイドの表面に接触可能に設置されていることを特徴とする請求項２に記載の紙幣処理装置。
【請求項４】
前記ベルトは、前記紙幣搬送機構を駆動する駆動源を利用して駆動されることを特徴とする請求項２又は３に記載の紙幣処理装置。
【請求項５】
前記プーリは、巻回されるベルトの張力が調整可能となるように、前記紙幣収容部に移動可能に支持されていることを特徴とする請求項２から４のいずれか１項に記載の紙幣処理装置。
【請求項６】
前記搬送部材は、プーリを軸支する中心軸と、前記中心軸と偏芯する偏芯軸とを具備しており、
前記偏芯軸を回転操作することで、前記プーリを前記中心軸と共に移動させることを特徴とする請求項５に記載の紙幣処理装置。
【請求項７】
前記紙幣収容部は、紙幣の搬入方向に沿って紙幣の両側縁を規制するガイド部材を有していることを特徴とする請求項１から６のいずれか１項に記載の紙幣処理装置。
【請求項８】
前記紙幣収容部は、前記受入口から搬入される紙幣を積層して載置する載置部材と、前記載置部材に対して紙幣を押圧する押圧板とを有しており、
前記載置部材に紙幣を押圧する押圧板の端面と、この端部が摺接する紙幣収容部の底面とは、非接触部を有する状態で当接していることを特徴とする請求項１から７のいずれか１項に記載の紙幣処理装置。
【請求項９】
前記紙幣収容部は、前記受入口から搬入される紙幣を挟んで前記搬送部材とは反対側に設けられ、搬送部材側に突起する突起部を有することを特徴とする請求項１から８のいずれか１項に記載の紙幣処理装置。
【請求項１０】
前記突起部は、前記受入口から搬入される紙幣に対して直交する方向に沿った板状の形状を有しており、紙幣が、前記受入口からの搬入方向に対して直交する方向に移送された際、紙幣と接触して変形可能であることを特徴とする請求項９に記載の紙幣処理装置。
【発明の詳細な説明】
【技術分野】
【０００１】
本発明は、紙幣挿入口から挿入される紙幣を収容可能にする紙幣収容スタッカを備えた紙幣処理装置に関する。
【背景技術】
【０００２】
一般的に紙幣処理装置は、利用者によって紙幣挿入口から挿入された紙幣の有効性を識別し、有効と識別された紙幣価値に応じて、各種の商品やサービスを提供するサービス機器、例えば遊技場に設置されている遊技媒体貸出機、或いは、公共の場に設置されている自動販売機や券売機等に組み込まれている。このような紙幣処理装置は、紙幣挿入口に挿入された紙幣を搬送する紙幣搬送機構、搬送される紙幣の有効性を判定（真贋判定とも称する）する紙幣識別部等の動作機器、及びこれらの動作機器を駆動、制御する制御手段を備えている。
【０００３】
そして、前記紙幣識別部で有効と識別された紙幣は、順次、紙幣収容部（紙幣収容スタッカ）に収容される。この紙幣収容スタッカは、所定枚数の紙幣を収容する、いわゆる金庫としての機能を備えており、例えば、特許文献１に開示されているように、紙幣処理装置の本体部から着脱できるように構成されている。
【０００４】
この公知技術にあるように、紙幣処理装置は、有効と識別された紙幣を、着脱可能な紙幣収容スタッカに送り込めるように、装置本体の紙幣搬送路排出口と、着脱される紙幣収容スタッカの紙幣取入口が位置併わせされた状態となっており、紙幣は、装置本体の紙幣搬送路から紙幣収容スタッカの内部、具体的には、紙幣収容スタッカ内に設けられた押圧板による押圧処理位置に案内され、その後、前記押圧板によって、スタック部に順次、積層収容される。
【特許文献１】実開平６−４２８５７号
【発明の開示】
【発明が解決しようとする課題】
【０００５】
上記したような紙幣収容スタッカを備えた紙幣処理装置では、紙幣が、装置本体に設置された搬送ローラ対を抜けると、紙幣収容スタッカに移送されるようになっている。この場合、紙幣が、紙幣収容スタッカの紙幣取入口を通過できても、その後、押圧処理位置への移動中に、紙幣の幅方向の位置が定まらず、片方によってしまうことがある。これにより、押圧処理位置において、幅方向にずれた状態で紙幣が停止する可能性があり、その後、押圧板が駆動された際、スタック部（載置プレート）に紙幣が正しく載置できなくなる可能性がある。
【０００６】
本発明は、上記した事情に着目してなされたものであり、紙幣収容部に紙幣を確実に収容可能にする紙幣処理装置を提供することを目的とする。
【課題を解決するための手段】
【０００７】
上記した目的を達成するために、請求項１に記載された紙幣処理装置は、紙幣を収容可能にする紙幣収容部と、紙幣収容部へ紙幣を搬送する紙幣搬送機構とを有し、前記紙幣収容部は、前記紙幣搬送機構により搬送される紙幣を受け入れる受入口と、前記受入口から搬入される紙幣に対して接触可能であり、搬入方向に沿って駆動される搬送部材とを有することを特徴とする。
【０００８】
上記した構成の紙幣処理装置によれば、紙幣が挿入されると、例えば紙幣識別部で有効と識別されて、その下流側に設置されている紙幣収容部に搬送される。紙幣が紙幣収容部に搬入されると、搬入方向に沿って駆動状態にある搬送部材と接触するため、これにより紙幣に皺等があっても適正な位置（押圧処理位置）に搬送されるようになる。
【０００９】
また、請求項２に係る発明においては、前記搬送部材は、ベルトと、搬入方向の端部に位置し、前記ベルトを巻回するプーリとを有することを特徴とする。
【００１０】
このような構成では、搬送ローラ対の摩擦差によって紙幣が斜めに搬送される可能性があるが、ベルトを設置することでそのような斜めの搬送が抑制されるようになる。また、ベルトとプーリによって搬入方向に紙幣と接触できるので、搬送ローラと駆動源を複数備えた構成よりも、コストを低くすることが可能となる。
【００１１】
また、請求項３に係る発明においては、前記ベルトは、紙幣の両サイドの表面に接触可能に設置されていることを特徴とする。
【００１２】
このような構成では、紙幣収容部内に搬入された紙幣は、その両サイドの表面に接触可能に設置されているベルトに摺接することで、より安定して紙幣を適正な位置に搬送することが可能になる。
【００１３】
また、請求項４に係る発明においては、前記ベルトは、前記紙幣搬送機構を駆動する駆動源を利用して駆動されることを特徴とする。
【００１４】
このような構成では、ベルトを駆動するに際して、紙幣搬送機構の駆動源を利用するため、コストを削減することが可能になる。
【００１５】
また、請求項５に係る発明においては、前記プーリは、巻回されるベルトの張力が調整可能となるように、前記紙幣収容部に移動可能に支持されていることを特徴とする。
【００１６】
このような構成では、ベルトの張力が調整可能であるため、ベルト製造時に長さの誤差があっても適正な張力に調整することが可能となり、受入口を介して搬入される紙幣を、確実にベルトに接触させることが可能となる。特に、ベルトを、紙幣の両サイドに接触可能な構成とした場合、夫々のサイドに接触するベルトの張力を均一にして、スキューの発生を効果的に防止することが可能となる。
【００１７】
また、請求項６に係る発明においては、前記搬送部材は、プーリを軸支する中心軸と、前記中心軸と偏芯する偏芯軸とを具備しており、前記偏芯軸を回転操作することで、前記プーリを前記中心軸と共に移動させることを特徴とする。
【００１８】
このような構成では、偏芯軸を回転するだけで、プーリの中心軸の位置をずらすことが可能となり、容易にベルトの張力を適切な状態に調整することができる。
【００１９】
また、請求項７に係る発明においては、前記紙幣収容部は、紙幣の搬入方向に沿って紙幣の両側縁を規制するガイド部材を有していることを特徴とする。
【００２０】
このような構成では、紙幣が紙幣収容部内に搬入されると、ガイド部材に沿って移動できると共に、紙幣と前記搬送部材が安定して摺接できるようになり、紙幣が紙幣収容部へ搬入された際の片寄りが未然に防止され、紙幣は適正な位置に搬送されるようになる。
【００２１】
また、請求項８に係る発明においては、前記紙幣収容部は、前記受入口から搬入される紙幣を積層して載置する載置部材と、前記載置部材に対して紙幣を押圧する押圧板とを有しており、前記載置部材に紙幣を押圧する押圧板の端面と、この端部が摺接する紙幣収容部の底面とは、非接触部を有する状態で当接していることを特徴とする。
【００２２】
このような構成では、紙幣を載置部材に押し付けるべく、押圧板を駆動すると、押圧板と底面との間に非接触部（例えば、凹凸による接触関係）があることから、押圧板が移動した際に、紙幣が両者の間で噛み込まれることが抑制され、紙幣収容部内での紙幣詰まりを効果的に抑制することが可能となる。
【００２３】
また、請求項９に係る発明においては、前記紙幣収容部は、前記受入口から搬入される紙幣を挟んで前記搬送部材とは反対側に設けられ、搬送部材側に突起する突起部を有することを特徴とする。
【００２４】
このような構成では、突起部によって、受入口を介して搬入される紙幣を、確実に駆動状態にある搬送部材に対して接触させることが可能となり、紙幣と搬送部材が安定して摺接できるようになる。このため、紙幣の大きさや状態（皺の有無）に関係なく、受入口を介して搬入される紙幣の片寄りが未然に防止できるようになり、最終的に適正な位置に紙幣をスタックすることが可能となる。
【００２５】
また、請求項１０に係る発明においては、前記突起部は、前記受入口から搬入される紙幣に対して直交する方向に沿った板状の形状を有しており、紙幣が、前記受入口からの搬入方向に対して直交する方向に移送された際、紙幣と接触して変形可能であることを特徴とする。
【００２６】
このような構成では、突起部が板状に形成されているため、前記受入口から搬入される紙幣によって負荷が掛かかっても、突起部自体が変形しない程度の強度を持たせることができ、紙幣を搬送部材側にシフトさせて搬送部材へ確実に接触させることが可能となる。そして、最終的に紙幣を収容位置に移送する際には、紙幣が突起部と接触しても変形できるため、紙幣を損傷する可能性が低減される。
【発明の効果】
【００２７】
本発明によれば、紙幣収容部に対して、紙幣を確実に収容可能にする紙幣処理装置が得られる。
【発明を実施するための最良の形態】
【００２８】
以下、図面を参照しながら、本発明の一実施形態について説明する。
【００２９】
図１から図６は、本実施形態に係る紙幣処理装置の構成を示す図であり、図１は、全体構成を示す斜視図、図２は、開閉部材を装置本体の本体フレームに対して開いた状態を示す斜視図、図３は、装置本体の動力伝達部の構成を示す斜視図、図４は、挿入口から挿入される紙幣の搬送経路を概略的に示した右側面図、図５は、紙幣収容部に配設される押圧板を駆動するための動力伝達機構の概略構成を示す図、そして、図６は、紙幣搬送機構を駆動するための駆動源及び駆動力伝達機構の概略構成を示す左側面図である。
【００３０】
本実施形態の紙幣処理装置１は、例えば、スロットマシン等の各種の遊技機に組み込み可能に構成されており、装置本体２と、この装置本体２に設けられ、多数の紙幣を積層、収容することが可能な紙幣収容部（紙幣収容スタッカ）１００とを備えている。この紙幣収容部１００は金庫としての機能を備えており、装置本体２に対して着脱可能であっても良く、本実施形態では、例えば、図示されていないロック機構が解除された状態で、前面に設けられた取っ手１０１を引くことで、装置本体２から取り外すことが可能となっている。
【００３１】
前記装置本体２は、図２及び図３に示すように、本体フレーム２Ａと、本体フレーム２Ａに対して一端部を回動中心として開閉されるように構成された開閉部材２Ｂとを有している。そして、これら本体フレーム２Ａ及び開閉部材２Ｂは、図４に示すように、開閉部材２Ｂを本体フレーム２Ａに対して閉じた際、両者の対向部分に紙幣が搬送される隙間（紙幣搬送路）３が形成されると共に、両者の前面露出側に、前記紙幣搬送路３に一致するようにして、紙幣挿入口５が形成されるよう構成されている。なお、前記紙幣挿入口５は、紙幣の短い辺側から装置本体２の内部に挿入できるようにスリット状の開口となっている。
【００３２】
前記装置本体２内には、紙幣を搬送する紙幣搬送機構６と、紙幣挿入口５に挿入された紙幣を検知する挿入検知センサ７と、挿入検知センサ７の下流側に設置され、搬送状態にある紙幣の情報を読取る紙幣読取手段８と、この紙幣読取手段８に対して、紙幣を正確に位置決めして搬送するスキュー補正機構１０と、紙幣がスキュー補正機構１０を構成する可動片を通過したことを検知する可動片通過検知センサ１２と、紙幣が紙幣収容部１００に排出されたことを検知する排出検知センサ１８と、紙幣収容部１００内で紙幣を載置プレートに向けて押圧する押圧板を駆動するラックの位置を検知するラック検知手段２３（図１５参照）と、上記した紙幣搬送機構６、紙幣読取手段８及びスキュー補正機構１０の駆動を制御する制御手段２００（制御回路基板２００Ａ；図１６参照）とが設けられている。
【００３３】
以下、上記した各構成部材について、詳細に説明する。  
前記紙幣搬送路３は、紙幣挿入口５から奥側に向けて延出しており、その後方側で下方に向けて傾斜するように屈曲され、そして最終的に鉛直方向に向けて屈曲するように形成されている。紙幣搬送路３には、紙幣収容部１００に紙幣を排出する排出口３ａが形成されており、ここから排出される紙幣は、鉛直方向に向けて、紙幣収容部１００の導入口（受入口）１０３に送り込まれる。
【００３４】
前記紙幣搬送機構６は、紙幣挿入口５から挿入された紙幣を挿入方向に沿って搬送可能にすると共に、挿入状態にある紙幣を紙幣挿入口５に向けて差し戻し搬送可能とする機構である。この紙幣搬送機構６は、装置本体２内に設置された駆動源であるモータ１３（図６参照）と、このモータ１３によって回転駆動され、紙幣搬送路３に紙幣搬送方向に沿って所定間隔おいて配設される搬送ローラ対（１４Ａ，１４Ｂ）、（１５Ａ，１５Ｂ）、（１６Ａ，１６Ｂ）、及び（１７Ａ，１７Ｂ）を備えている。
【００３５】
前記搬送ローラ対は、紙幣搬送路３に一部が露出するように設置されており、いずれも紙幣搬送路３の下側に設置される搬送ローラ１４Ｂ，１５Ｂ，１６Ｂ及び１７Ｂがモータ１３によって駆動されるローラとなっており、上側に設置される搬送ローラ１４Ａ，１５Ａ，１６Ａ及び１７Ａが、これらのローラに対して従動するピンチローラとなっている。なお、紙幣挿入口５から挿入された紙幣を最初に挟持して奥側に搬送する搬送ローラ対（１４Ａ，１４Ｂ）は、図２及び図３に示すように、紙幣搬送路３の中心位置に１箇所設置されており、その下流側に順次配置される搬送ローラ対（１５Ａ，１５Ｂ）、（１６Ａ，１６Ｂ）、及び（１７Ａ，１７Ｂ）については、紙幣搬送路３の幅方向に沿って、所定間隔をおいて２箇所設置されている。
【００３６】
また、上記した紙幣挿入口５の近傍に配置される搬送ローラ対（１４Ａ，１４Ｂ）については、通常は、上側の搬送ローラ１４Ａが下側の搬送ローラ１４Ｂから離間した状態となっており、紙幣の挿入が挿入検知センサ７によって検知されると、上側の搬送ローラ１４Ａが下側の搬送ローラ１４Ｂに向けて駆動され、挿入された紙幣を挟持するようになっている。なお、上側の搬送ローラ１４Ａについては、駆動源７０（図１６のブロック図参照）によって、搬送ローラ１４Ｂに対して当接／離間するように駆動制御される。この駆動源７０については、モータやソレノイド等によって構成することができ、開閉部材２Ｂ内に設置される。
【００３７】
そして、前記スキュー補正機構１０によって、挿入された紙幣の傾きを無くし紙幣読取手段８に対して位置合わせする処理（スキュー補正処理）が行われる際には、上側の搬送ローラ１４Ａは、下側の搬送ローラ１４Ｂから離間して紙幣に対する負荷を解除し、スキュー補正処理が終了すると、再び、上側の搬送ローラ１４Ａが下側の搬送ローラ１４Ｂに向けて駆動され、紙幣を挟持する。スキュー補正機構１０は、スキューの除去を果たす左右一対の可動片１０Ａ（片側のみ図示）を備えており、スキュー駆動機構用のモータ４０を駆動することでスキューの補正処理が成される。
【００３８】
上記した紙幣搬送路３の下側に設置される搬送ローラ１４Ｂ，１５Ｂ，１６Ｂ及び１７Ｂは、図６に示すように、モータ１３、及び各搬送ローラの駆動軸の端部に設置されるプーリ１４Ｃ，１５Ｃ，１６Ｃ及び１７Ｃを介して回転駆動される。すなわち、モータ１３の出力軸には、駆動プーリ１３Ａが設置されており、上記した各搬送ローラの駆動軸の端部に設置されるプーリ１４Ｃ，１５Ｃ，１６Ｃ及び１７Ｃには、駆動プーリ１３Ａとの間で駆動ベルト１３Ｂが巻回されている。なお、駆動ベルト１３Ｂには、適所に張力プーリが係合しており、弛みを防止している。
【００３９】
上記した構成により、モータ１３が正転駆動されると、前記搬送ローラ１４Ｂ，１５Ｂ，１６Ｂ及び１７Ｂは同期して正転駆動され、紙幣を挿入方向に向けて搬送し、モータ１３が逆転駆動されると、前記搬送ローラ１４Ｂ，１５Ｂ，１６Ｂ及び１７Ｂは同期して逆転駆動され、紙幣を紙幣挿入口５側に向けて搬送する。
【００４０】
前記挿入検知センサ７は、紙幣挿入口５に挿入された紙幣を検知した際に検知信号を発生するものであり、本実施形態では、搬送ローラ対（１４Ａ，１４Ｂ）と、スキュー補正機構１０との間に設置されている。前記挿入検知センサ７は、例えば、光学式のセンサ、例えば回帰反射型フォトセンサによって構成されているが、それ以外にも、機械式のセンサによって構成されていても良い。
【００４１】
また、前記可動片通過検知センサ１２は、紙幣の先端が、前記スキュー補正機構１０を構成する左右一対の可動片１０Ａを通過したことを検知した際に検知信号を発生するものであり、前記紙幣読取手段８の上流側に設置されている。この可動片検知センサ１２についても、前記挿入検知センサと同様、光学式のセンサや機械式のセンサによって構成される。
【００４２】
また、前記排出検知センサ１８は、通過する紙幣の後端を検知して、紙幣が紙幣収容部１００に排出されたことを検知するものであり、紙幣搬送路３の下流側において、紙幣収容部１００の受入口１０３の直前に配設されている。この排出検知センサ１８についても、前記挿入検知センサと同様、光学式のセンサや機械式のセンサによって構成される。
【００４３】
前記紙幣読取手段８は、スキュー補正機構１０によってスキュー補正された状態（正確に位置決めされた状態）で搬送される紙幣について、その紙幣情報を読取り、その有効性（真贋）を判定する。具体的には、例えば、搬送される紙幣の両面側から光を照射し、その透過光と反射光を受光素子で検知することで紙幣の読取を行うラインセンサによって構成することができる。図においては、ラインセンサが示されており、このラインセンサで読取った光信号は光電変換され、予め格納されている真券のデータと比較照合することで、搬送される紙幣の真贋を識別する。
【００４４】
前記紙幣を収容する紙幣収容部１００は、装置本体２に対して着脱可能に構成され、上記した紙幣読取手段８で真性と識別された紙幣を順次、積層、収容する。
【００４５】
ここで、図４から図６に加え、図７から図１５を参照して、紙幣収容部１００の構成について説明する。これらの図において、図７は、紙幣収容部の受入口部分を示す平面図、図８は、受入口から搬入される紙幣をそのまま待機、保持させる押圧待機部領域の斜視図（一部切欠いて示す）、図９は、図８に示す状態において、押圧板が駆動された状態を示す斜視図、図１０は、紙幣収容部の受入口部分を示す平面図であり、受入口から搬入された紙幣が押圧待機部に位置した状態を示す図、図１１は、図１０に示す状態において、押圧板が駆動された状態を示す図、図１２は、図１１に示した状態の後、載置プレートに複数枚の紙幣が収容された状態を示す図、図１３は、押圧板が待機位置にある状態を示す側面図、図１４は、押圧板が押圧位置にある状態を示す側面図、そして、図１５は、ラック検知手段の概略構成を示す斜視図である。
【００４６】
図４から図６に示すように、紙幣収容部１００を構成する本体フレーム１００Ａは、略直方体形状に構成されており、その前壁１０２ａの内側には、付勢手段（付勢バネ）１０６の一端が取り付けられ、その他端には、上記した受入口１０３を介して送り込まれる紙幣を順次、積層する載置プレート１０５が設けられている。このため、載置プレート１０５は、前記付勢手段１０６を介して、後述する押圧板１１５側に向けて付勢された状態になっている。
【００４７】
本体フレーム１００Ａ内には、受入口１０３に連続するように、落下する紙幣をそのまま待機、保持させる押圧待機部１０８が設けられている。押圧待機部１０８の載置プレート側の両サイドには、鉛直方向に延出するように一対の規制壁１１０が配置されている。この一対の規制壁１１０は、載置プレート１０５上に紙幣Ｍが順次、積層されて、前記付勢手段１０６によって載置プレート１０５が付勢された際、図１２に示すように、最上の紙幣Ｍ１の両サイドを当て付けて、積層される紙幣を安定して保持する役目を果たす。
【００４８】
また、本体フレーム１００Ａ内には、受入口１０３から押圧待機部１０８に落下した紙幣を載置プレート１０５に向けて押圧する押圧板１１５が配設されている。この押圧板１１５は、図１０に示すように、前記一対の規制壁１１０間の空間１１０Ａを通過できる程度の大きさに構成されており、この空間１１０Ａ内に入り込んで紙幣を載置プレート１０５に押し付ける位置（押圧位置；図１１及び図１４参照）と、前記押圧待機部１０８を開放する位置（初期位置；図５及び図１０参照）との間で往復駆動される。すなわち、受入口１０３から押圧待機部１０８に搬入された紙幣は、押圧板１１５が駆動されることで、一対の規制壁１１０間の空間を撓みながら通過し、載置プレート１０５に向けて移送される。
【００４９】
前記押圧板１１５は、図４及び図５に示すように、本体フレーム１００Ａ内に配設される押圧板駆動機構１２０を介して、上記したように往復駆動される。押圧板駆動機構１２０は、押圧板１１５を矢印Ａ方向に往復移動可能となるように、両端が押圧板に軸支された一対のリンク部材１１５ａ，１１５ｂを備えており、これらのリンク部材１１５ａ，１１５ｂはＸ字状に連結され、それぞれの反対側の端部は、垂直方向（矢印Ｂ方向）に移動可能に設置された可動部材１２２に軸支されている。この可動部材１２２には、ラックが形成されており、このラックには、押圧板駆動機構１２０を構成するピニオン１２４Ａが噛合している。
【００５０】
このピニオン１２４Ａには、図５に示すように、押圧板駆動機構１２０を構成する収容部側ギヤトレイン１２４が連結されている。この場合、本実施形態においては、図３及び図５に示すように、上述した装置本体２内に、駆動源（モータ２０）と、このモータ２０に順次噛合する本体側ギヤトレイン２１が配設されており、紙幣収容部１００を装置本体２に装着すると、本体側ギヤトレイン２１が収容部側ギヤトレイン１２４に連結するようになっている。すなわち、上記した押圧板１１５は、押圧板駆動機構１２０（リンク部材１１５ａ，１１５ｂ、可動部材１２２、収容部側ギヤトレイン１２４）、及び本体側ギヤトレイン２１を介して、装置本体２に設けられたモータ２０によって矢印Ａ方向に往復駆動される。
【００５１】
なお、上記した押圧板１１５は、モータ２０によって矢印Ａ方向に往復駆動される際、モータ２０の停止制御によって３つの位置を取るようになっている。すなわち、図１１及び図１４に示すように、紙幣を載置プレート１０５に押さえ付ける位置（押圧位置）と、図５及び図１０に示すように、押圧待機部１０８を開放する位置（初期位置）と、図１３に示すように、押圧板１１５を駆動する一対のリンク部材１１５ａ，１１５ｂが押圧待機部１０８に位置しており、紙幣が一対のリンク部材１１５ａ，１１５ｂによって受入口１０３から押圧待機部１０８に搬入できない位置（待機位置）、換言すれば、受入口１０３から異物等の挿入を阻止する位置の、３つの位置を取り得るようになっている。
【００５２】
前記本体フレーム１００Ａ内には、図４に示すように、載置プレート１０５上に、所定枚数の紙幣が載置された際、その状態を検知する検知センサ（満杯検知センサ）１４０が設置されている。この満杯検知センサは、磁気信号を検知できるように構成されており、載置プレート１０５の裏面に設けられた磁石１４０Ａによる磁界を検知できるように構成されている。すなわち、満杯検知センサ１４０は、載置プレート１０５が押し込まれる方向の所定の位置に設置されており、載置プレート１０５上に紙幣が順次載置されて、載置プレート１０５が付勢手段１０６の付勢力に抗して押し込まれ、満杯検知センサ１４０が載置プレート１０５の移動を検知した際、載置プレート１０５上の紙幣が満杯になった信号を発する。
【００５３】
また、上記した押圧板１１５は、図９に示すように、紙幣収容部１００の底壁１０２ｂとの間で、非接触部を有する状態で当接している。具体的には、押圧板１１５の接触側端面に、凹部１１５ｅを形成しておくことで、押圧板１１５の端面と底壁１０２ｂとは面接触しないように構成している。
【００５４】
このように構成することで、紙幣を載置プレート１０５に押し付けるべく、押圧板１１５を駆動すると、押圧板１１５と底壁１０２ｂとの間に非接触部があることから、押圧板１１５が移動した際に、紙幣が両者の間で噛み込まれることが抑制され、紙幣収容部内での紙幣詰まりを効果的に抑制することが可能となる。なお、底壁１０２ｂにおいても、収容される紙幣が底壁に対して面当たりしないように、所定間隔をおいて、底壁１０２ｂに紙幣収容方向に延出する凸部１０２ｃを形成しておくことが好ましい。すなわち、このような凸部１０２ｃを形成しておき、その一部が前記押圧板１１５に形成される凹部１１５ｅ内に位置するように構成することで、紙幣をより安定して積層、収容して行くことが可能になる。
【００５５】
また、本体フレーム１００Ａには、前記受入口１０３から搬入される紙幣に対して接触可能な搬送部材１５０が設置されている。この搬送部材１５０は、搬入される紙幣に接触して、安定して紙幣を押圧待機部１０８の適正位置（押圧板１１５で紙幣を押圧した際、紙幣が左右に片寄ることなく、安定して押圧できる位置）に案内する役目を果たす。本実施形態では、この搬送部材は、押圧待機部１０８に臨むように設置されたベルト状の部材（以下、ベルト１５０と称する）によって構成されている。
【００５６】
この場合、ベルト１５０は、紙幣に対して搬入方向に沿って延在するように設置されており、搬入方向の両端部に回転可能に支持された一対のプーリ１５０Ａ，１５０Ｂに巻回されている。また、ベルト１５０は、受入口１０３の領域に回転可能に支持された軸方向に延出する搬送ローラ１５０Ｃと当接しており、受入口１０３に搬入された紙幣を挟持して、紙幣をそのまま押圧待機部１０８に案内するようにしている。さらに、本実施形態では、前記ベルト１５０は、紙幣の両サイドの表面に接触可能となるように、上記した押圧板１１５を挟むようにして左右一対設けられている。
【００５７】
なお、前記一対のベルト１５０は、両端におけるプーリ１５０Ａ，１５０Ｂの巻回以外に、中間位置で張力プーリを当て付けて、弛みを防止するようにしても良い。また、前記プーリ１５０Ａを、搬送ローラ１５０Ｃに対して軸方向にシフトした位置に配置し、プーリ１５０Ａに巻回されるベルト１５０を、搬送ローラ１５０Ｃと当接しない状態で配置するようにしても良い。すなわち、受入口１０３から搬入される紙幣を、搬送ローラ１５０Ｃ、及びプーリ１５０Ａの駆動軸に設置されるピンチローラ（図示せず）によって挟持するようにし、ここを通過した後は、ベルト１５０に当接させて押圧待機部１０８に案内するようにしても良い。
【００５８】
前記一対のベルト１５０は、装置本体２内に設置される上述した複数の搬送ローラを駆動するモータ１３によって駆動されるようになっている。具体的には、図６に示すように、モータ１３によって駆動される上述した駆動ベルト１３Ｂは、駆動力伝達用のプーリ１３Ｄに巻回されており、このプーリ１３Ｄに順次設置される動力伝達用のギヤトレイン１３Ｅには、受入口１０３側に回転可能に支持されているプーリ１５０Ａの支軸の端部に設置されたギヤトレイン１５３が噛合するようになっている。すなわち、紙幣収容部１００が装置本体２に装着された際、ギヤトレイン１３Ｅの最終ギヤには、ギヤトレイン１５３が噛合するようになっており、一対のベルト１５０は、モータ１３の回転駆動により、上述した紙幣搬送用の搬送ローラ１４Ｂ，１５Ｂ１６Ｂ，１７Ｂと一体的に回転駆動されるようになっている。
【００５９】
このように紙幣収容部に設置されるベルト１５０を駆動するに際しては、装置本体２に設けられている紙幣搬送機構６の駆動源であるモータ１３を利用するため、コストを削減することが可能になる。
【００６０】
また、本体フレーム１００Ａには、図７に示すように、受入口１０３から紙幣の搬入方向に沿って、紙幣の両側縁を規制するガイド部材１６０が形成されている。このガイド部材１６０は、搬入される紙幣の両縁を規制するコの字の案内面１６０ａを有しており、紙幣が受入口１０３から紙幣収容部（押圧待機部１０８）内に搬入されると、ガイド部材１６０に沿って移動できると共に、紙幣と前記一対のベルト１５０が安定して摺接できるようになる。これにより、紙幣が押圧待機部１０８へ搬入される際の片寄りを修正して、紙幣をより確実に適正な位置に搬送することが可能となる。
【００６１】
さらに、本体フレーム１００Ａには、押圧板１１５を駆動するラックの位置（ラックが形成されている可動部材１２２）の位置を検知するラック検知手段２３を構成する可変レバー２３Ａが設置されている。ラック検知手段２３は、図５及び図１５に示すように、装置本体２側に設けられる光学式のセンサ素子（ラック検知センサ）２３Ｂと、紙幣収容部１００の本体フレーム１００Ａに設置される可変レバー２３Ａとを備えている。前記可変レバー２３Ａは、図１５に示すように、支軸２３ａに対して矢印方向Ｃに回動する方向に付勢された状態で支持されており、矢印Ｂ方向に駆動される可動部材１２２の端部に設けられた当接部材１２２ａと当接可能な状態となっている。また、可変レバー２３Ａの回動は、規制軸２３ｂによって規制されるようになっている。
【００６２】
そして、上記した構成において、可動部材１２２が上昇して、図５及び図１０に示すように、押圧板１１５を初期位置に移動させると、当接部材１２２ａが可変レバー２３Ａに当て付き、可変レバー２３Ａは、付勢力に抗して回動され、センサ素子２３Ｂは、この状態（可変レバー２３Ａの光学式センサからの離脱）を検知するようになっている。すなわち、ラック検知手段２３は、可動部材１２２が上側の方向に移動して押圧板１１５が初期位置になったことを検知する。
【００６３】
次に、上述した紙幣搬送機構６、紙幣読取手段８、紙幣収容部１００内に設置される押圧板１１５及び一対のベルト１５０の駆動を制御する制御手段について図１６を参照して説明する。
【００６４】
制御手段２００は、上記した各駆動装置の動作を制御する制御回路基板２００Ａを備えており、この制御回路基板上には、紙幣識別手段を構成するＣＰＵ（Central Processing Unit）２１０と、ＲＯＭ(Read Only Memory)２１２と、ＲＡＭ（Random
Access Memory）２１４と、基準データ記憶部２１６とが実装されている。
【００６５】
前記ＲＯＭ２１２には、上述した紙幣搬送機構を駆動するモータ１３、押圧板を駆動するモータ２０、搬送ローラ１４Ａを搬送ローラ１４Ｂに向けて当接／離間するように駆動する駆動源７０、スキュー駆動機構１０を駆動するためのモータ４０等の各種駆動装置の作動プログラムや、紙幣読取手段８で読取る紙幣についての真贋判定プログラム等の各種プログラム、及び恒久的なデータが記憶されており、ＣＰＵ２１０は、ＲＯＭ２１２に記憶されている前記プログラムに従って制御信号を生成し、Ｉ／Ｏポート２２０を介して上述した各種駆動装置との間で信号の入出力を行い、各種駆動装置の駆動制御を行う。
【００６６】
また、ＣＰＵ２１０には、Ｉ／Ｏポート２２０を介して、挿入検知センサ７、可動片通過検知センサ１２、排出検知センサ１８、満杯検知センサ１４０、ラック検知センサ２３Ｂからの検知信号が入力されるようになっており、これらの検知信号に基づいて、各種駆動装置の駆動制御が行われる。
【００６７】
また、前記ＲＡＭ２１４には、ＣＰＵ２１０が作動する際に用いるデータやプログラムが記憶されており、基準データ記憶部２１６には、紙幣の真贋判定を行うときに用いられる基準データ、例えば、真券紙幣の全印刷領域から取得した各種のデータ（例えば、濃淡に関するデータ、赤外線を紙幣に投光した際の透過光や反射光に関するデータなど）が基準データとして記憶されている。なお、基準データについては、専用の基準データ記憶部２１６に記憶させているが、これをＲＯＭ２１２に記憶させておいても良い。
【００６８】
そして、ＣＰＵ２１０には、Ｉ／Ｏポート２２０を介して、上記した紙幣読取手段８を構成する紙幣読取用検知センサ（例えば、ラインセンサ）８０が接続されており、この紙幣読取用検知センサ８０で読取った紙幣読取データは、基準データ記憶部２１６に記憶されている基準データと比較され、紙幣の真贋判定処理が実行される。
【００６９】
なお、上述した紙幣処理装置の動作を制御する制御手段２００は、一つの制御回路基板２００Ａ上に実装されているが、機能に応じて別の制御回路基板上に分散して配置されていても良い。
【００７０】
次に、上述した制御手段２００によって実行される紙幣処理装置１における紙幣の処理動作について、図１７から図２０のフローチャートに従って説明する。
【００７１】
操作者が紙幣を紙幣挿入口５に挿入する際、紙幣挿入口の近傍に設置される搬送ローラ対（１４Ａ，１４Ｂ）は、初期状態において離間した状態にある（後述するＳＴ２４，ＳＴ５４参照）。また、押圧板１１５は、図１３に示すように、押圧板１１５を駆動する一対のリンク部材１１５ａ，１１５ｂが押圧待機部１０８に位置しており、紙幣が一対のリンク部材１１５ａ，１１５ｂによって受入口１０３から押圧待機部１０８に搬入できない待機位置に設定されている（後述するＳＴ６７参照）。
【００７２】
上記した搬送ローラ対（１４Ａ，１４Ｂ）の初期状態では、皺のある紙幣であっても、操作者は容易に挿入することができる。そして、挿入検知センサ７によって紙幣の挿入が検知されると（ＳＴ０１）、上述した押圧板１１５の駆動モータ２０を所定量逆転駆動し（ＳＴ０２）、押圧板１１５を初期位置に移動させる。この初期位置では、押圧待機部１０８は開放状態になっており（図５及び図１０参照）、紙幣は、紙幣収容部内に搬入可能となっている。
【００７３】
また、上述した駆動源７０を駆動し、上側の搬送ローラ１４Ａを下側の搬送ローラ１４Ｂに当接するように移動させる。これにより、挿入された紙幣は搬送ローラ対（１４Ａ，１４Ｂ）によって挟持される（ＳＴ０３）。
【００７４】
次いで、紙幣搬送用のモータ１３が正転駆動される（ＳＴ０４）。紙幣は、搬送ローラ対（１４Ａ，１４Ｂ）によって装置内部に搬送され、スキュー補正機構１０よりも下流側に配設されている可動片通過検知センサ１２が紙幣の先端を検知すると、紙幣搬送用モータは停止される（ＳＴ０５，ＳＴ０６）。このとき、紙幣は、スキュー補正機構１０を構成する一対の可動片１０Ａ間に位置している。
【００７５】
引き続き、上述した駆動源７０を駆動し、紙幣を挟持した状態となっている搬送ローラ対（１４Ａ，１４Ｂ）を離間させる（ＳＴ０７）。このとき、紙幣には、何等、負荷が作用していない状態となる。
【００７６】
そして、この状態でスキュー補正作動処理を行う（ＳＴ０８）。このスキュー補正作動処理は、上述したスキュー補正機構用のモータ４０を正転駆動することで、一対の可動片１０Ａを互いに接近する方向に駆動することで成される。すなわち、紙幣は、両側に当て付く可動片１０Ａによって、中心方向に位置合わせされるように移動し、これによりスキューが除去されると共に、正確な中心位置となるように位置決めされる。
【００７７】
上述したようなスキュー補正作動処理が終了すると、引き続き、スキュー補正解除処理が実行される（ＳＴ０９）。これは、上述したスキュー補正機構用のモータ４０を逆転駆動することで、一対の可動片１０Ａを離間する方向に移動することで成される。
【００７８】
続いて、上述した駆動源７０を駆動し、上側の搬送ローラ１４Ａを下側の搬送ローラ１４Ｂに当接するように移動させ、紙幣を搬送ローラ対（１４Ａ，１４Ｂ）に挟持させる（ＳＴ１０）。その後、紙幣搬送用のモータ１３を正転駆動して紙幣を装置内部に向けて搬送し、紙幣が紙幣読取手段８を通過する際に、紙幣の読取処理を実行する（ＳＴ１１，ＳＴ１２）。
【００７９】
そして、搬送される紙幣が紙幣読取手段８を通過して、紙幣の後端までデータを読取ると、紙幣搬送用のモータ１３を所定量駆動し、紙幣を所定位置（エスクロ位置；紙幣読取手段８の中心位置から１３ｍｍ紙幣が下流側に搬送された位置）で停止させ、このときに、制御手段２００において、紙幣の真贋判定処理を実行する（ＳＴ１３〜ＳＴ１６）。
【００８０】
上記したＳＴ１６の真贋判定処理において、紙幣が真券であると判定されると（ＳＴ１７；Ｙｅｓ）、操作者の入力を受付ける（ＳＴ１８）。これは、操作者が、サービスの提供（例えば、ゲーム装置であればゲーム開始に伴う受付処理）を受入れるべく、受入ボタンを押下する受入操作、及び、挿入した紙幣の返却処理を行うべく、返却ボタンを押下する処理が該当する。
【００８１】
そして、各種サービスの提供を受入れる操作が入力されると（ＳＴ１９；Ｙｅｓ）、紙幣搬送用のモータ１３を正転駆動し、紙幣を、紙幣収容部１００に向けて搬送する（ＳＴ２０）。この紙幣の搬送に際しては、紙幣の後端が排出検知センサ１８によって検知されるまでは紙幣搬送用のモータ１３は正転駆動され（ＳＴ２１）、紙幣の後端が排出検知センサ１８によって検知されてから、紙幣搬送用のモータ１３は所定量だけ正転駆動される（ＳＴ２２，ＳＴ２３）。
【００８２】
このＳＴ２２、及びＳＴ２３における紙幣搬送用のモータ１３の正転駆動処理は、紙幣が、装置本体２の紙幣搬送路３の下流側にある排出口３ａから紙幣収容部１００の受入口１０３に搬入され、前記一対のベルト１５０が搬入される紙幣の両側表面に接触して安定して、押圧待機部１０８に案内される駆動量に対応している。すなわち、紙幣の後端が排出検知センサ１８によって検知された後、更に、所定量、紙幣搬送用のモータ１３を正転駆動することで、前記一対のベルト１５０は、受入口１０３から搬入される紙幣に接触しつつ紙幣送り方向に駆動され、紙幣を安定した状態で押圧待機部１０８に案内する。
【００８３】
この場合、紙幣は、前記受入口１０３から紙幣搬入方向に沿って形成されているガイド部材１６０の案内面１６０ａに沿って案内されることから、紙幣が押圧待機部１０８へ搬入される際、前記一対のベルト１５０の接触と相俟って、片寄りがなく適正な押圧位置に搬送されるようになる。具体的には、例えば、受入口１０３から搬入される紙幣に皺等があって押圧待機部１０８内の所定位置まで移動しない（落下しない）可能性があっても、搬送状態にある一対のベルト１５０が紙幣に当接することから、紙幣は搬送作用を受け、所定の適正な位置に移動することが可能となる。そして、適正な位置に移動した後は、後述するように、押圧板１１５による押圧作用を受け、紙幣は、一対の規制壁１１０間の空間１１０Ａを左右対称に撓みながら通過して押圧処理（収容処理）が成される。
【００８４】
また、上記のように、紙幣が一対のベルト１５０に接触することから、紙幣処理装置の設置状態に関係なく、紙幣を安定して適正位置に案内することが可能となる。すなわち、紙幣処理装置１が、例えば、斜め状態で他の機器に実装されると、装置本体の最終搬送ローラ対を抜けただけでは、正確に押圧位置に案内できなかったり、或いは、紙幣に多数の皺が存在していると、紙幣処理装置の実装状態に関係なく、押圧待機部１０８に搬入される際に抵抗となってしまい、同じく正確に押圧位置に案内できない可能性があるが、上記したような一対のベルト１５０が設置されることで、安定して適正な押圧位置に紙幣を搬入することが可能になる。
【００８５】
なお、搬送部材はベルト１５０で構成されているため、不正目的等でベルトを逆方向に回転させても、受入口１０３から紙幣を引き抜くことはできない。
【００８６】
そして、上記した紙幣搬送用のモータ１３が停止した後、上述した駆動源７０を駆動して搬送ローラ対（１４Ａ，１４Ｂ）を離間させ（ＳＴ２４）、紙幣を載置プレート１０５上に載置すべく押圧板１１５の駆動処理を実行する（ＳＴ２５）。
【００８７】
この押圧板１１５の駆動処理は、図２０に示すフローチャートに従って実行される。  
最初、押圧板１１５の駆動モータ２０を所定量正転駆動することで、初期位置にある押圧板１１５を押圧位置まで移動させる（ＳＴ６１）。この押圧板１１５の移動により、押圧待機部１０８にある紙幣は、図１０から図１１に示すように、一対の規制壁１１０間の空間１１０Ａを左右対象となるようにＵ字状に撓みながら通過し、最終的に載置プレート１０５上に押し付けられる。このとき、紙幣は、上述したように、一対のベルト１５０によって、片寄りがなく適正な押圧位置に搬送されているので、押圧板１１５が移動しても、一対の規制壁１１５との間でジャム等が生じることなく、安定した状態で載置プレート１０５上に載置される。
【００８８】
また、上述したように、押圧板１１５は、図８に示すように、紙幣収容部１００の底壁１０２ｂとの間で、非接触部を有する状態で当接しているので、図９に示すように押圧板１１５が駆動されても、紙幣は、押圧板１１５と底壁１０２ｂとの間で噛み込まれることがなく、紙幣収容部内での紙幣詰まりが効果的に抑制される。なお、この状態で、上述した満杯検知センサ１４０が載置プレート１０５の裏面に設けられた磁気を検知すれば（ＳＴ６２；Ｙｅｓ）、紙幣収容部が満杯であることを報知する（ＳＴ６３）。
【００８９】
上記した押圧板１１５の押圧位置への移動は、紙幣が安定して載置プレート１０５に載置されるように所定時間（２００ｍｓ）の間、実行され（ＳＴ６４）、その後、押圧板１１５の駆動モータ２０を所定量逆転駆動することで、押圧板１１５を初期位置まで戻す（ＳＴ６５）。
【００９０】
このとき、上述したラック検知センサ２３Ｂが、ラック（可動部材１２２）の初期位置の移動を検知すれば（ＳＴ６６；Ｙｅｓ）、押圧板１１５の駆動モータ２０を所定量正転駆動することで、初期位置にある押圧板１１５を、図１３に示す待機位置まで移動させる（ＳＴ６７）。この待機位置では、受入口１０３が閉塞された状態となっており、例えば、不正目的で、異物等を受入口１０３から挿入しようとしても、一対のリンク部材１１５ａ，１１５ｂが押圧待機部１０８を閉鎖した状態にあるため、そのような行為を確実に防止することが可能となる。なお、ラック検知センサ２３Ｂが、ラック（可動部材１２２）の初期位置の移動を検知しなければ（ＳＴ６６；Ｎｏ）、スタック動作の異常を報知する（ＳＴ６８）。
【００９１】
また、上記した処理手順のＳＴ１７において、紙幣が真券でないと判別された場合、或いは、操作者によって返却ボタンが押下された場合（ＳＴ１９；Ｎｏ）、紙幣搬送用モータ１３を逆転駆動し、エスクロ位置に待機している紙幣を、紙幣挿入口５に向けて搬送する（ＳＴ５１）。そして、挿入検知センサ７が紙幣挿入口５に向けて差し戻される紙幣の後端を検知した際に、紙幣搬送用モータ１３の逆転駆動を停止すると共に、上述した駆動源７０を駆動し、紙幣を挟持した状態となっている搬送ローラ対（１４Ａ，１４Ｂ）を離間させて（ＳＴ５２〜ＳＴ５４）一連の処理が終了する。
【００９２】
次に、本発明の別の実施形態について説明する。  
図２１から図２３は、本発明の第２の実施形態を示す図であり、図２１は、受入口から搬入される紙幣をそのまま待機、保持させる押圧待機部領域の斜視図（一部切欠いて示す）、図２２は、図２１に示す構成において、紙幣収容部の受入口部分を示す平面図であり、受入口から搬入された紙幣が押圧待機部に位置した状態を示す図、そして、図２３は、図２２に示す状態において、押圧板が駆動された状態を示す図である。
【００９３】
上記した実施形態に用いられる紙幣処理装置は、様々な大きさの紙幣を処理できるように、ユニバーサル対応に構成することも可能である。具体的には、紙幣収容部（金庫）１００に対して、例えば、長さが１２０〜１６３ｍｍ、幅が５８〜８５ｍｍ程度の大きさの紙幣を収容できるように構成することも可能である。このため、紙幣収容部１００については、内部に設置される搬送ローラ１５０Ｃと紙幣収容部の底面（底壁１０２ｂ又は凸部１０２ｃ）までの距離が、投入される紙幣の内、最大の長さとなる１６３ｍｍよりも多少長くなるように設計される（１６３＋αｍｍ）。
【００９４】
ところが、紙幣収容部１００を、上記のような長さに設計すると、長さの短い紙幣（上記した例では、長さが１２０ｍｍの紙幣）が用いられた際、搬送ローラ１５０Ｃを通過してから底面までの、フリー状態となる距離が長くなってしまう。このため、上述した一対のベルト１５０だけでは、接触が不安定となり易く、フリー状態のときにスキューが生じ易くなってしまう。また、これに加えて、幅の狭い紙幣では、押圧待機部１０８に移行した際、一対の規制壁１１０の空間１１０Ａの部分にエッジ位置がずれている可能性があり、この状態で押圧板１１５を押圧駆動すると、収容トラブルを引き起こす可能性がある。
【００９５】
このため、第２の実施形態では、以下に詳述するように、搬送ローラ１５０Ｃを通過した紙幣が、確実に一対のベルト１５０に当接できるように構成されている。すなわち、搬送ローラ１５０Ｃを通過した紙幣を、一対のベルト１５０側にシフトさせて、確実に当接するように構成される。
【００９６】
例えば、受入口１０３から搬入される紙幣を挟んで、各ベルト（搬送部材）１５０とは反対側、具体的には、紙幣収容部を構成している一対の規制壁１１０の対向面（空間１１０Ａを規定する内面）１１０ｄに、各ベルト１５０側に向けて突起する突起部１８０を設けておく。
【００９７】
この場合、突起部１８０は、上記のように、紙幣が通過する一対の規制壁１１０の対向面１１０ｄに取着されることから、変形可能な板状の部材、具体的には、薄い板状の部材で弾性変形が可能な素材、例えば、ポリエステルフィルム、マイラーＰＥＴフィルム（デュポン社製）によって構成することが可能である。すなわち、突起部１８０は、紙幣の搬入方向に対して直交する方向に沿った板状の形状を有しており、紙幣が、受入口１０３からの搬入方向に対して直交する方向（載置プレート１０５の方向）に移送された際、紙幣と接触して弾性変形可能に構成されている。
【００９８】
また、突起部１８０には、搬入される紙幣が最初に当て付く部分に、紙幣の搬入方向に沿って紙幣を次第にベルト方向にシフトさせるように、円弧状部１８０ａを形成しておくことが好ましい。
【００９９】
上記したような突起部１８０を設けておくことで、受入口１０３を介して搬入される紙幣を、確実に駆動状態にあるベルト１５０に向けてシフトさせることが可能となり、紙幣をベルト１５０に安定して接触させることが可能となる。すなわち、長さが短く幅が狭い紙幣が投入されても、その紙幣をベルト１５０に沿って確実に搬送させることができ、押圧待機部１８０でのスキューの発生や片寄りを確実に防止することが可能となる。特に、前記突起部１８０は、板状に形成されているため、受入口１０３から搬入される紙幣によって負荷が掛かかっても、突起部自体は搬送方向に沿って変形しない程度の強度を持たせることができ、その紙幣をベルト側にシフトさせて確実にベルト１５０に接触させることが可能となる。
【０１００】
すなわち、長手方向や幅方向の紙幣の大きさ、及びその状態（皺の有無）に関係なく、受入口１０３を介して搬入される紙幣の片寄りが確実に修正できるようになり、押圧待機部１０８の適正な位置に紙幣を案内することが可能となる。
【０１０１】
そして、押圧待機部１０８の適正な位置に案内された紙幣は、押圧板１１５による押圧作用を受け、図２３に示すように、一対の規制壁１１０間の空間１１０Ａを左右対称に撓みながら通過して押圧処理（収容処理）が成される。なお、紙幣が、空間１１０Ａを左右対称に撓みながら通過する際、上記したように、突起部１８０は弾性変形可能に構成されているため、紙幣の通過に伴って折れ曲がるように変形し、紙幣が通過した後は、図２１及び図２２に示す状態に戻る。すなわち、紙幣を載置プレート１０５に向けて移送する際、突起部が変形するため、紙幣を損傷することが低減される。
【０１０２】
上記した突起部１８０については、紙幣が通過する際に弾性変形するように構成されていれば良く、板状に構成する以外にも適宜変形することが可能である。例えば、図２４に示す突起部１８０Ａは、ゴムなど、弾性変形可能な材料を半リング状に形成したものであり、このような突起部１８０Ａの円弧状部を押圧待機部側に向けて突出するように、一対の規制壁１１０の対向面１１０ｄに取着したものである。
【０１０３】
このような構成では、紙幣が一対の規制壁１１０Ａ間の空間１１０Ａを通過して突起部１８０Ａが弾性変形した後、元の状態に戻り易くなる。
【０１０４】
また、前記突起部１８０，１８０Ａについては、対向面１１０ｄに対する取着部分をゴム等によって形成しておき、対向面１１０ｄからベルト側に突起する部分を、上記したマイラーＰＥＴフィルム等で構成しても良い。このように構成することで、突起部が弾性変形した後、塑性変形し難いようにすることが可能となる。
【０１０５】
次に、本発明の更に別の実施形態について説明する。  
図２５から図２７は、本発明の第３の実施形態を示す図であり、図２５は、受入口から搬入される紙幣をそのまま待機、保持させる押圧待機部領域の斜視図（一部切欠いて示す）、図２６は、図２５に示す構成において、ベルトが巻回されるプーリを支持する支軸の構成を示す図であり、（ａ）は、ベルトの張力が最も緩い状態を示す図、（ｂ）はベルトの張力が最も高い状態を示す図、そして、図２７は、ベルトが巻回されるプーリを支持する支軸を側面から見た模式図であり、（ａ）はベルトの張力が最も緩い状態を示す図、（ｂ）はベルトの張力が最も高い状態を示す図である。
【０１０６】
上記の実施形態において、押圧待機部１０８に臨むように設置される搬送部材を構成する一対のベルト１５０は、上述したように、搬入される紙幣と接触して、適正位置に案内する役目を果たしている。
【０１０７】
この場合、プーリ１５０Ａ，１５０Ｂに対して巻回される一対のベルト１５０は、その製造誤差等によって、夫々のベルトの張力が均一でないことが生じる。すなわち、一対のベルト１５０の夫々を、各プーリ１５０Ａ，１５０Ｂに対して巻回しても、製造時の長さのバラツキによって、両者の張力が均一でない状態が生じ、結果として、搬入される紙幣に当接した際の接触力が変わってスキューが生じる可能性がある。
【０１０８】
特に、上記した第２実施形態で詳述したように、長さの短い紙幣が用いられると、搬送ローラ１５０Ｃを通過してから底面までの、フリー状態となる距離が長くなってしまうことから、上述した一対のベルト１５０の夫々の張力が異なると、両側での接触が不安定となり易く、フリー状態のときにスキューが生じ易くなってしまう。
【０１０９】
このため、本実施形態では、夫々のベルト１５０が巻回されるプーリ１５０Ａ，１５０Ｂに関し、一方のプーリ１５０Ｂを、それぞれ個別に、紙幣収容部１００（本体フレーム１００Ａ）に対して移動可能に支持することで、プーリ１５０Ａ，１５０Ｂ間の軸間距離を調整可能とし、これにより、プーリ１５０Ａ，１５０Ｂ間に巻回される各ベルト１５０の張力を調整できるようにしている。
【０１１０】
ここで、プーリ１５０Ｂを移動させてベルトの張力を調整する具体的な構成について説明する。なお、図２５においては、手前側に設置されたプーリ１５０Ｂを拡大して図示しているが、奥側に設置されているプーリ（図示せず）についても、同様な構成で移動可能となっている。
【０１１１】
プーリ１５０Ｂを支持する支軸１５１は、紙幣収容部１００（本体フレーム１００Ａ）に対して中間ばめによって回転可能に支持されている。具体的には、支軸１５１は、本体フレーム１００Ａに対して軽圧入状態で支持されており、外部から衝撃が加わっても動かないものの、外的な操作、例えば、以下のような治具を用いて操作することで回転可能な状態で支持されている。本実施形態の支軸１５１は、前記プーリ１５０Ｂを装着する中心軸（装着軸）１５１ｂと、この中心軸１５１ｂに対して偏芯し、例えば、マイナスドライバのような治具によって回転操作される偏芯軸１５１ａとを備えた構成となっている。このため、前記偏芯軸１５１ａの端面には、治具が差し込まれる径方向溝１５１ｃが形成されている。
【０１１２】
前記偏芯軸１５１ａは、中心軸１５１ｂの軸心Ｘ１に対して、所定量ｄ（例えば、ｄ＝０．３ｍｍ）だけ軸心Ｘが偏芯するように中心軸１５１ｂと共に一体形成されており、中心軸１５１ｂに軸受１５１Ａを介在させることで、前記プーリ１５０Ｂを回転可能に支持している。なお、中心軸１５１ｂの端部には、円周溝１５１ｄが形成されており、ここに止め輪１５２を設置することで、前記プーリ１５０Ｂ及び軸受１５１Ａを抜け止め支持している。
【０１１３】
この結果、図２６（ａ）及び図２７（ａ）に示すように、中心軸１５１ｂが、最もプーリ１５０Ａ（図示せず）側に位置している状態のとき、すなわち、中心軸１５１ｂの軸心Ｘ１が、偏芯軸１５１ａの軸心Ｘより図中Ｙ１方向に偏芯量ｄだけシフトしているとき、プーリ１５０Ｂとプーリ１５０Ａとの軸間距離が縮まって、ベルト１５０の張力を緩めることが可能となる。
【０１１４】
また、図２６（ｂ）及び図２７（ｂ）に示すように、偏芯軸１５１ａを図２６（ａ）及び図２７（ａ）の状態から１８０°回転させて、中心軸１５１ｂが最もプーリ１５０Ａ（図示せず）から遠ざかった状態のとき、すなわち、中心軸１５１ｂの軸心Ｘ１が、偏芯軸１５１ａの軸心Ｘより図中Ｙ２方向に偏芯量ｄだけシフトしているとき、プーリ１５０Ｂとプーリ１５０Ａとの軸間距離が伸びて、ベルト１５０の張力を高めることが可能となる。本実施形態では、上述したように、偏芯量ｄは０．３ｍｍと設定されているため、プーリ１５０Ｂは、プーリ１５０Ａに対して±０．３ｍｍの範囲内で調整することが可能となっている。
【０１１５】
なお、図２７（ａ）及び（ｂ）で示す状態から、偏芯軸１５１ａを９０°回転させた状態では、ベルト１５０の張力調整は中間位置となる。この際、プーリ１５０Ｂは、図２７において、Ｚ方向にもシフトするようになるが（最大で軸心Ｘを中心に上下方向に±０．３ｍｍシフトする）、ベルト１５０の張力を調整するに際して、プーリ１５０ＢがＺ方向にシフトしても、プーリ１５０Ａ，１５０Ｂ間の距離に比較すると、その距離はきわめて小さいことから、搬入されてくる紙幣に対する接触力に影響を及ぼすことはない。
【０１１６】
また、本実施形態では、上記した偏芯軸１５１ａを回転操作することで、プーリ１５０Ｂの位置が調整されるようになっており、偏芯軸１５１ａの回転操作角度とプーリ１５０Ｂの移動の関係は、サインカーブに沿った軌跡を描くことから、単に、支軸１５１をプーリ１５０Ａの支軸に対して接近させたり、離間させるような構成と比較すると、微妙な張力調整を行うことが可能となる。
【０１１７】
上記したベルト１５０の張力の調整に際しては、例えば、巻回されたベルトの所定の位置に一定の荷重を加えて撓み量を測定し、その撓み量を見ながら偏芯軸１５１ａを回転操作することで実施することが可能である。或いは、ベルト１５０を弾いて固有振動数を測定しながら、偏芯軸１５１ａを回転操作することで実施するようにしても良い。
【０１１８】
上記した構成によれば、各ベルト１５０の張力が調整可能であるため、ベルト製造時に長さの誤差があっても適正な張力に調整することが可能となり、受入口を介して搬入される紙幣を、左右均一な状態となったベルト１５０に接触させることが可能となる。すなわち、両サイドのベルト１５０の張力を均一に調整して、紙幣のスキューの発生を効果的に防止することが可能となる。
【０１１９】
また、本実施形態では、プーリ１５０Ｂを軸支する中心軸１５１ｂと、中心軸１５１ｂに対して偏芯する偏芯軸１５１ａとを具備した支軸１５１にプーリ１５０Ｂを支持しており、単に、偏芯軸１５１ａを回転操作することで、プーリ１５０Ｂを中心軸１５１ｂと共に移動させるようにしている。すなわち、偏芯軸１５１ａを回転操作するだけで、プーリ１５０Ｂの中心軸１５１ｂの位置をずらして、容易にベルト１５０の張力を適切な状態に調整することが可能になることから、例えば、別途、テンションプーリを設置したり、ベルトのテンションを変更するためのスプリング等を設置する必要が無く、スペースを効率的に利用することが可能となる。
【０１２０】
なお、本実施形態では、図２５に示したように、上記した第２実施形態で用いられた突起部１８０を設置しているが、このような突起部１８０を設けない構成であっても良い。また、上記したような偏芯軸１５１ａを設けることなく、支軸１５１を、ベルト１５０に沿って移動可能となるように支持しても良い。
【０１２１】
以上、本発明の実施形態について説明したが、本発明は、上記した実施形態に限定されることなく、種々変形して実施することが可能である。
【０１２２】
上述した実施形態における紙幣処理装置の紙幣収容部１００に設置される搬送部材は、紙幣の両側の表面に接触する一対のベルト１５０によって構成したが、紙幣に接触して送り方向に駆動されるものであれば、転動して接触するローラのような部材であっても良い。また、ベルト１５０は、一対設けたが、１つのみであっても良い。
【０１２３】
さらに、上述した各種の駆動部材を駆動する駆動源、或いは、その駆動源からの動力伝達機構については、一例を示したに過ぎず、適宜変形することが可能である。
【産業上の利用可能性】
【０１２４】
本発明の紙幣処理装置は、例えば、紙幣が挿入されたことで、商品やサービスを提供する各種の装置に組み込むことが可能である。
【図面の簡単な説明】
【０１２５】
【図１】本実施形態に係る紙幣処理装置の構成を示す図であり、全体構成を示す斜視図。
【図２】開閉部材を装置本体の本体フレームに対して開いた状態を示す斜視図。
【図３】装置本体の動力伝達部の構成を示す斜視図。
【図４】挿入口から挿入される紙幣の搬送経路を概略的に示した右側面図。
【図５】紙幣収容部に配設される押圧板を駆動するための動力伝達機構の概略構成を示す図。
【図６】紙幣搬送機構を駆動するための駆動源及び駆動力伝達機構の概略構成を示す左側面図。
【図７】紙幣収容部の受入口部分を示す平面図。
【図８】受入口から搬入される紙幣をそのまま待機、保持させる押圧待機部領域の斜視図（一部切欠いて示す）。
【図９】図８に示す状態において、押圧板が駆動された状態を示す斜視図。
【図１０】紙幣収容部の受入口部分を示す平面図であり、受入口から搬入された紙幣が押圧待機部に位置した状態を示す図。
【図１１】図１０に示す状態において、押圧板が駆動された状態を示す図。
【図１２】図１１に示した状態の後、載置プレートに複数枚の紙幣が収容された状態を示す図。
【図１３】押圧板が待機位置にある状態を示す側面図。
【図１４】押圧板が押圧位置にある状態を示す側面図。
【図１５】ラック検知手段の概略構成を示す斜視図。
【図１６】紙幣搬送機構、紙幣読取手段、紙幣収容部内に設置される押圧板及び一対のベルトの駆動を制御する制御手段の構成を示すブロック図。幣処理装置における紙幣の処理動作を説明するフローチャート。
【図１７】本実施形態の紙幣処理装置における紙幣の処理動作を説明するフローチャート（その１）。
【図１８】本実施形態の紙幣処理装置における紙幣の処理動作を説明するフローチャート（その２）。
【図１９】本実施形態の紙幣処理装置における紙幣の処理動作を説明するフローチャート（その３）。
【図２０】押圧板の駆動処理手順を説明するフローチャート。
【図２１】本発明の第２の実施形態を示す図であり、受入口から搬入される紙幣をそのまま待機、保持させる押圧待機部領域の斜視図（一部切欠いて示す）。
【図２２】図２１に示す構成において、紙幣収容部の受入口部分を示す平面図であり、受入口から搬入された紙幣が押圧待機部に位置した状態を示す図。
【図２３】図２２に示す状態において、押圧板が駆動された状態を示す図。
【図２４】第２の実施形態の変形例を示す図であり、受入口から搬入される紙幣をそのまま待機、保持させる押圧待機部領域の斜視図（一部切欠いて示す）。
【図２５】本発明の第３の実施形態を示す図であり、受入口から搬入される紙幣をそのまま待機、保持させる押圧待機部領域の斜視図（一部切欠いて示す）。
【図２６】図２５に示す構成において、ベルトが巻回されるプーリを支持する支軸の構成を示す図であり、（ａ）は、ベルトの張力が最も緩い状態を示す図、（ｂ）はベルトの張力が最も高い状態を示す図。
【図２７】ベルトが巻回されるプーリを支持する支軸を側面から見た模式図であり、（ａ）はベルトの張力が最も緩い状態を示す図、（ｂ）はベルトの張力が最も高い状態を示す図。
【符号の説明】
【０１２６】
１  紙幣処理装置
２  装置本体
３  紙幣搬送路
５  紙幣挿入口
６  紙幣搬送機構
８  紙幣読取手段
１０  スキュー補正機構
４０  駆動源
１００  紙幣収容部
１０３  受入口
１０５  載置プレート
１０６  付勢手段
１０８  押圧待機部
１１５  押圧板
１１５ａ，１１５ｂ  リンク部材
１２０  押圧板駆動機構
１２２  可動部材
１５０  ベルト（搬送部材）
１５０Ａ，１５０Ｂ  プーリ
１８０，１８０Ａ  突起部
２００  制御手段
【図１】
2010020732.tif 000003
【図２】
2010020732.tif 000004
【図３】
2010020732.tif 000005
【図４】
2010020732.tif 000006
【図５】
2010020732.tif 000007
【図６】
2010020732.tif 000008
【図７】
2010020732.tif 000009
【図８】
2010020732.tif 000010
【図９】
2010020732.tif 000011
【図１０】
2010020732.tif 000012
【図１１】
2010020732.tif 000013
【図１２】
2010020732.tif 000014
【図１３】
2010020732.tif 000015
【図１４】
2010020732.tif 000016
【図１５】
2010020732.tif 000017
【図１６】
2010020732.tif 000018
【図１７】
2010020732.tif 000019
【図１８】
2010020732.tif 000020
【図１９】
2010020732.tif 000021
【図２０】
2010020732.tif 000022
【図２１】
2010020732.tif 000023
【図２２】
2010020732.tif 000024
【図２３】
2010020732.tif 000025
【図２４】
2010020732.tif 000026
【図２５】
2010020732.tif 000027
【図２６】
2010020732.tif 000028
【図２７】
2010020732.tif 000029